(57)【要約】【課題】所定の水深を維持して泳がせる際に釣手が意図的に浮沈させなくても巻き取るだけでラバーやトレーラーの揺れ動きを発生させることができるラバージグを提供する。【解決手段】ラインアイと、ラインアイに連結される錘と、錘から後方へ伸びるフックと、フックを覆うように後方へ伸びるラバーとを備えたラバージグにおいて、ラバーの前方側に回転体を設けて回転体の回転によって生じる水流によってラバーやトレーラーが大きく揺れ動かす。【選択図】  図１
2010178673.tif 000002
【特許請求の範囲】
【請求項１】
ラインアイと、ラインアイに連結される錘と、錘から後方へ伸びるフックと、フックを覆うように後方へ伸びるラバーとを備えたラバージグであって、ラバーの前方側に回転体が設けられていることを特徴とするラバージグ。
【請求項２】
ラインアイが錘から前方へ伸びるワイヤの先端に設けられており、回転体がワイヤに軸止めされている請求項１記載のラバージグ。
【請求項３】
ワイヤのラインアイとの付け根とワイヤの錘との付け根を結ぶ軸線上から外れた位置にラバージグ全体の重心が位置付けられる請求項２記載のラバージグ。
【請求項４】
回転体がラバーを構成するラバー糸と接触しないように位置付けられている請求項１乃至３のいずれかに記載のラバージグ。
【請求項５】
回転体の回転軸の軸線に対して該回転体の回転軌道の周縁よりも外側にフックの針先が位置付けられている請求項１乃至４のいずれかに記載のラバージグ。
【発明の詳細な説明】
【技術分野】
【０００１】
本発明は、ラバージグに関するものである。
【背景技術】
【０００２】
周知のとおり、ルアーフィッシングにおいて使用されるラバージグと呼ばれるルアーは、比較的大きなサイズの魚が釣れるとして定評があり、多くの釣り人に愛用されている。
【０００３】
ラバージグは、後出特許文献１に開示されているように、ラインアイと、ラインアイの後方に位置付けられる錘と、錘から後方へ伸びるフックと、フックを覆うように後方へ伸びるラバーとを基本構成として備えており、ラバーは、ゴムやシリコーンなどを細糸状に裁断し、その細糸を複数本束ねて枝垂れ状に形成されている。そして、一般的にトレーラーと呼ばれる軟質ルアーをフックに引っ掛けた状態で使用され、ラバーとトレーラーの揺れ動きによってブラックバスなどの対象魚に捕食動作を促がすものである。
【０００４】
ところで、ラバージグを使用した釣り方として、従来においては、釣手の操作によって湖底付近の水深で浮上と沈降を繰り返すことにより、対象魚に捕食動作を促がす方法が用いられていたが、近年においては、釣手の操作によって所定の水深を維持して泳がせることにより、対象魚に捕食動作を促がす方法が所定の水深を漂う比較的大きなサイズの対象魚に対して非常に有効であることから、多くの釣り人に用いられるようになった。
【先行技術文献】
【特許文献】
【０００５】
【特許文献１】特開２００6−２２３２８４号公報
【発明の概要】
【発明が解決しようとする課題】
【０００６】
ところが、前者の釣り方においては、ラバージグを浮沈させることによって各動作への移行時にラバーやトレーラーを大きく揺れ動かすことができ、これによって対象魚に対して強くアピールすることができるが、後者の釣り方においては、ラバージグを泳がせることによって生じる水流でラバーやトレーラーが僅かに揺れ動くだけで、前者の釣り方のようにラバーやトレーラーの揺れ動きを対象魚に対して強くアピールするこができなかった。
【０００７】
そこで、本発明は、釣手が意図的に浮沈させなくても巻き取るだけでラバーやトレーラーの揺れ動きを発生させることができるラバージグを提供することを技術的課題として、その具現化をはかるべく、試作・実験を繰り返した結果、ラインアイと、ラインアイに連結される錘と、錘から後方へ伸びるフックと、フックを覆うように後方へ伸びるラバーとを備えたラバージグにおいて、ラバーの前方側に回転体を設ければ、回転体の回転によって生じる水流によってラバーやトレーラーが大きく揺れ動くという刮目すべき知見を得、前記技術的課題を達成したものである。
【課題を解決するための手段】
【０００８】
前記技術的課題は、次の通りの本発明によって解決できる。
【０００９】
また、本発明に係るラバージグは、ラインアイと、ラインアイに連結される錘と、錘から後方へ伸びるフックと、フックを覆うように後方へ伸びるラバーとを備えたラバージグであって、ラバーの前方側に回転体が設けられているものである。
【００１０】
また、本発明は、前記ラバージグにおいて、ラインアイが錘から前方へ伸びるワイヤの先端に設けられており、回転体がワイヤに軸止めされているものである。
【００１１】
また、本発明は、前記ラバージグにおいて、ワイヤのラインアイとの付け根と錘との付け根を結ぶ線上から外れた位置にラバージグ全体の重心が位置付けられるものである。
【００１２】
また、本発明は、前記いずれかのラバージグにおいて、回転体がラバーを構成するラバー糸と接触しないように位置付けられているものである。
【００１３】
また、本発明は、前記いずれかのラバージグにおいて、回転体の回転軸の軸線に対して該回転体の回転軌道の周縁よりも外側にフックの針先が位置付けられているものである。
【発明の効果】
【００１４】
本発明によれば、ラバージグにおいてラバーの前方側に回転体を設けたので、ラバージグを所定の水深に維持するように泳がせた際に、回転体の回転によって生じた水流が後方に位置付けられたラバーに対する抵抗となって該ラバーが複雑に揺れ動き、これによって対象魚に存在を強くアピールすることができる。また、前記ラバーの複雑な揺れ動きによって更に複雑な水流が生じ、この水流がフックに引っ掛けられたトレーラーに対する抵抗となって該トレーラーが激しく揺れ動き、これによっても対象魚に存在を強くアピールすることができる。さらに、回転体の回転時に生じる接触音や、回転体を反射可能な素材で形成した場合において回転時に生じる反射光によっても対象魚の興味を引くことができる。
【００１５】
従って、本発明の産業上利用性は非常に高いといえる。
【図面の簡単な説明】
【００１６】
【図１】実施の形態１に係るラバージグを示した斜視図である。
【図２】図１に示すラバージグを示した分解斜視図である。
【図３】図１に示すラバージグを示した側面図である。
【図４】実施の形態２に係るラバージグを示した側面図である。
【図５】実施の形態３に係るラバージグを示した側面図である。
【図６】実施の形態４に係るラバージグを示した側面図である。
【図７】図６に示すラバージグの回転体の回転軌道とフックの針先との位置関係を示した正面図である。
【図８】実施の形態５に係るラバージグの回転体を示した正面図である。
【発明を実施するための形態】
【００１７】
以下、本発明の実施の形態を図面に基づき説明する。
【００１８】
実施の形態１．
【００１９】
図１〜図３において、１は、進行方向に対して前方端に位置付けられるラインアイ２と、ラインアイ２にワイヤ３を介して連結される錘４と、錘４から後方へ伸びるフック５と、フック５を覆うように伸びるラバー６と、ラバー６よりも前方側に位置付けるようにワイヤ３に軸止めされた回転体７とを備えたラバージグである。
【００２０】
ラインアイ２は、錘４に一端側が埋め込まれたワイヤ３の他端側の先端を環状に湾曲して形成されている。そして、ワイヤ３は、錘４に埋め込まれた一端側の先端も他端側の先端と同様に環状に湾曲してなる連結環８が形成されている。
【００２１】
錘４は、小魚の頭を模して成形されたヘッド部９と、ヘッド部９と一体的に後方へと伸びるように成形された掛止部１０とから構成されている。ヘッド部９は、ワイヤ３が小魚の口に当たる部分から斜め上方に向かって突出するように伸びている。掛止部１０は、ヘッド部９から後方に向かって伸びて後端のみを僅かに幅太に形成することによって段差１１が形成されている。従って、前後方向に伸びる掛止部１０の軸芯よりも上方にラインアイ２が位置付けられた状態となっている。なお、錘４を構成する素材は、水より比重の大きな素材であれば特に限定されないが、鉛やタングステンを用いることが好ましい。
【００２２】
フック５は、一端側が錘４に埋め込まれており、一端側から後方へ伸びる他端側が上方に向かってUターンするように湾曲させることによって略J字状に形成されている。そして、フック５の錘４に埋め込まれた一端側は、錘４のヘッド部９内でワイヤ３の連結環８と鎖状に連結できるように先端を環状に湾曲してなる連結環１２が形成されており、連結環１２から錘４の掛止部１０を貫通するように伸びて他端側へと続いている。これにより、フック５を引く力は両連結環８，１２の連結を介して直接ラインアイ２に伝わるようになっている。
【００２３】
ラバー６は、ゴムやシリコーンなどの軟質素材を細糸状に成形してなる複数本の軟質糸１３を輪ゴム１４によって錘４の掛止部１０周面に縛り付けることによって形成されている。各軟質糸１３は、中間に当たる位置が輪ゴム１４によって錘４の掛止部１０に縛り付けられており、輪ゴム１４から前方へ伸びる部分は折り返してラバー６を構成するラバー糸１５となっており、輪ゴム１４から後方へ伸びた部分は折り返すことなくラバー６を構成するラバー糸１６となっており、両ラバー糸１５，１６によってラバー６が枝垂れ状に形成されてフック５を覆っている。なお、ラバー６は、輪ゴム１４が錘４の掛止部１０に形成された段差１１に引っ掛かることによって該掛止部１０からの脱落が防止されている。
【００２４】
回転体７は、ワイヤ３を軸として回転可能に軸止めされており、ワイヤ３に固定されたビーズ１７とラインアイ２によってワイヤ３に対する前後方向への移動が規制されている。また、回転体７は、錘４から離した状態でワイヤ３に軸止めされている。そして、回転体７は、ワイヤ３が通される軸孔１８を有する軸芯部１９と、軸芯部１９の中心に対して点対称に伸びる一対の羽根２０とからなっており、一対の羽根２０は、それぞれ軸芯部１９を中心として捩るように僅かに折り曲げられている。
【００２５】
そして、本実施の形態のラバージグ１は、ワイヤ３のラインアイ２との付け根２１とワイヤ３の錘４との付け根２２とを結んだ軸線（図２中、点線にて示す。）上から鉛直方向にずれた上方位置にラバージグ１全体の重心（図２中、×印にて示す。）が位置付けられるように調整されている。
【００２６】
次に、本実施の形態に係るラバージグ１の使用方法を説明する。
【００２７】
ラバージグ１のフック５にトレーラーを引っ掛けた後、リールから伸びるライン（釣糸）の先端部をラインアイ２に結び付けてラバージグ１を対象魚が生息している湖にキャスティングする。キャスティングされたラバージグ１は着水後に錘４の重量によって水中へと沈降する。そして、ラバージグ１が沈降中又は湖底に到達した後、リールによってラインを巻き取ることでラバージグ１を泳がせる。この時、リールによるラインの巻き取り速度を調整することでラバージグ１を所定の水深に維持させた状態で泳がせることができる。
【００２８】
所定の水深を維持した状態で略直線状に泳ぐラバージグ１は回転体７が回転し、その回転によって生じた水流が回転体７の後方に位置するラバー６やトレーラーまで伝わるようになる。そして、回転体７の回転によって生じた水流によってラバー６の周囲に複雑な水流を生じてラバー６が揺れ動かされる。さらに、ラバー６の揺れ動きによってより複雑な水流が生じてトレーラーが揺れ動かされる。
【００２９】
本実施の形態によれば、ワイヤ３のラインアイ２との付け根２１とワイヤ３の錘４との付け根２２とを結んだ軸線上からずれた位置にラバージグ１全体の重心が位置するように調整したので、ライン３を引いた際に、回転体７に追従するように回転体以外の部材が回転し難くなる。
【００３０】
実施の形態２．
【００３１】
本実施の形態は前記実施の形態１の変形例である。本実施の形態は、図４に示すように、錘４のヘッド部９が卵状に形成されている。そして、ヘッド部９の上部から後方に掛止部１０が突出しており、ヘッド部９の上部から前方にワイヤ３が伸びている。なお、ワイヤ３のラインアイ２との付け根２１とワイヤ３のラインアイ２との付け根２２を結んだ軸線（図４中、点線にて示す）上から鉛直方向にずれた下方位置にラバージグ１全体の重心（図４中、×印にて示す。）が位置付けられるように調整されている。
【００３２】
本実施の形態においても、前記実施の形態１と同様にワイヤ３のラインアイ２との付け根２１とワイヤ３の錘４との付け根２２とを結んだ軸線上からずれた位置にラバージグ１全体の重心が位置するように調整したので、ライン３を引いた際に、回転体７に追従するように回転体以外の部材が回転し難くなる。
【００３３】
実施の形態３．
【００３４】
本実施の形態は前記実施の形態１におけるワイヤに軸止めされる回転体の位置についての変形例である。本実施の形態は、図５に示すように、錘４のヘッド部９から突出したワイヤ３が長く前方へと延長されている。そして、回転体７は、錘４の掛止部１０から後方へ伸びるラバー糸１５，１６が何らかの原因で前方側へと揺れ動いた際に該ラバー糸１５，１６と接触しないようにワイヤ３の前方側に軸止めされている。
【００３５】
本実施の形態によれば、ラバー６がどのように揺れ動いたとしても、回転体７がラバー糸１５，１６と接触しないため、回転体７にラバー６が絡み付いて回転体７の回転が阻害されることがない。特に、キャスティング時において回転体７にラバー６が絡み付くことを防止できる。
【００３６】
実施の形態４．
【００３７】
本実施の形態は前記実施の形態１におけるフックの変形例である。本実施の形態は、図６に示すように、ラバージグ１が所定の水深を維持した状態で略直線状に泳いだ際に、回転体７の回転軸の回転軸線（図６中、二点鎖線にて示す。）を基準として該回転軸線から回転体７の回転軌道の縁端（図７中、点線にて示す。）までの距離よりも該回転軸線からフック５の針先２３までの距離の方が遠くなるように形成されている。なお、本実施の形態においては、錘４から前方へ伸びるワイヤ３が直線状に形成されておらず、屈曲して形成されているが、前記実施の形態１と同様にワイヤ３のラインアイ２との付け根２１とワイヤ３の錘４との付け根２２とを結んだ軸線（図６中、点線にて示す。）上から鉛直方向にずれた上方位置にラバージグ１全体の重心（図６中、×印にて示す。）が位置付けられるように調整されている。
【００３８】
本実施の形態によれば、回転体７の回転軸の回転軸線に対して回転軌道の縁端よりも外側にフック５の針先２３が位置するので、例えば、対象魚がラバージグ１を回転体７を含めて丸呑みした際に、口内のいずれかの場所に対してフック５の針先２３が引っ掛かり易くなり、これによってフッキング率が格段に向上する。
【００３９】
実施の形態５．
【００４０】
本実施の形態は前記実施の形態１における回転体の変形例である。本実施の形態は、図８に示すように、回転体７の軸芯部１９に形成された軸孔１８が軸芯部１９の中心から外れた位置に形成されている。
【００４１】
本実施の形態によれば、回転体７に形成された軸孔１８の回転軸が軸芯部１９の中心から偏心した位置に形成されるため、回転体７の回転によってラバージグ１全体が振動し、ラバー６やトレーラーの揺れ動きを更に大きくすることができる。
【００４２】
なお、前記各実施の形態においては、回転体として軸芯部に一対の羽根が設けられたものを採用しているが、羽根の数は2以上であれば特に限定されない。また、羽根の形状もラインを引いた際に水流を受けて回転できるものであれば、特に限定されない。
【００４３】
また、錘の形状も、小魚の頭状や卵状に限定されず、どのような形状のものであってもよい。そして、錘は、分割したものを合致して一つの錘を形成してもよく、予めワイヤやフックを備え付けられた金型に鉛などの素材を流し込んで形成してもよい。
【符号の説明】
【００４４】
１  ラバージグ
２  ラインアイ
３  ワイヤ
４  錘
５  フック
６  ラバー
７  回転体
８  連結環
９  ヘッド部
１０  掛止部
１１  段差
１２  連結環
１３  軟質糸
１４  輪ゴム
１５，１６  ラバー糸
１７  ビーズ
１８  軸孔
１９  軸芯部
２０  羽根
２１，２２  付け根
２３  針先
【図１】
2010178673.tif 000003
【図２】
2010178673.tif 000004
【図３】
2010178673.tif 000005
【図４】
2010178673.tif 000006
【図５】
2010178673.tif 000007
【図６】
2010178673.tif 000008
【図７】
2010178673.tif 000009
【図８】
2010178673.tif 000010